【事件の表示】
　平成　４年特許願第２０５６０８号「記録再生装置」拒絶査定に対する審判事件［平成　６年　２月２５日出願公開、特開平　６−　５２６６１］について、次のとおり審決する。
【結　論】
　本件審判の請求は、成り立たない。
【理　由】
Ｉ．出願の経緯及び本願発明
　本願は平成４年７月３１日の出願であって、その請求項１〜３に係る発明は、平成１５年８月１１日付け手続補正によって補正された明細書の特許請求の範囲の請求項１〜３に記載されるとおりであるところ、請求項１に係る発明（以後「本願発明」という）は、上記特許請求の範囲の請求項１に記載される次のとおりのものである。
「映像信号を記録媒体に記録あるいは記録媒体から映像信号を再生する記録再生手段と、
　複数の記録媒体の媒体番号と、前記記録媒体に記録された映像信号の記録内容リストと該映像信号の記録位置情報とを対応させて記憶する記憶手段と、
　記録媒体が装着されたとき、この装着された記録媒体に記録されたデータに応じて記録媒体の媒体番号を判別する判別手段と、
　前記判別手段にて媒体番号を検出した場合には、前記媒体番号に対応する記録内容リストを前記記憶手段から読み出し、表示装置に表示する表示信号発生手段と、
　前記表示された記録内容リストにおいて再生部分を指定する指定手段と、
　前記指定された部分の記録位置情報を前記記憶手段から読み出し、その記録位置情報に応じて頭出し再生するように前記記録再生手段を制御する制御手段と、
　前記判別手段にて媒体番号を検出できない場合には、自動的に新たな媒体番号を設定し、前記記憶手段に該媒体番号に対応する領域を確保する設定手段と、
を備えていることを特徴とする記録再生装置。」
II．引用刊行物に記載の発明
１．当審で平成１５年６月１３日付け拒絶理由通知において拒絶の理由として引用した特開平２−３３７８５号公報（以後「刊行物１」という）には、ビデオテープのインデックス情報記録再生装置に係り、
（１−Ａ）「ビデオテープの記録領域に先頭の部分に登録番号を記録するとともに、該記録された登録番号を読み出す登録番号記録再生手段と、該登録番号記録再生手段により前記登録番号を記録されたテープに記録される内容のインデックスデータを記憶するインデックスデータ記憶手段と、該インデックスデータ記憶手段から読み出された前記インデックスデータを出力する出力手段と、前記各手段を制御する制御手段とを有し、該制御手段は前記ビデオテープに番号を最初に記録する時に、前記登録番号記録再生手段により前記テープに登録番号を記録させるとともに、前記テープに記録を行うごとに該記録される内容のインデックスデータを前記インデックスデータ記憶手段に記憶させ、また、前記登録番号記録再生手段によってテープから読み出された前記登録番号に対応する前記インデックスデータを前記出力手段へ出力することを特徴とするビデオテープのインデックス情報記録再生装置。」（特許請求の範囲参照）、
（１−Ｂ）「次にまず、本装置によるビデオテープへの録画動作を説明する。
　
本装置は録画の前に記録されるビデオテープ２０の先頭に登録番号を記録する
ープ１に録画する場合、操作者は入力操作部４６からテープ１の登録番号１の指示を入力する
オーディオヘッド２８からビデオテープ２０のオーディオトラックに登録番号Ｎ１が書き込まれ、第２Ａ図に示すようにテープ１の先頭の部分のオーディオトラックに登録番号Ｎ１が書き込まれる
登録番号Ｎ１のデータをメモリ４２に送り、メモリ４２には第３図に示すように、最初にビデオテープ１の登録番号Ｎ１が記録される
　次に・・・記録されるべき映像信号および音声信号が・・・入力され・・・ビデオテープ２０が駆動される。・・・映像信号は・・ビデオヘッド１８に送られ・・・ビデオテープ２０のビデオトラックに記録され・・・音声信号は・・・オーディオヘッド２８に送られ、ビデオテープ２０のオーディオトラックに記録される。これにより第２Ａ図に示すように、
テープ１のビデオトラックおよびオーディオトラックに記録内容１１１の記録が行われる
　記録内容１１１の記録の際、操作者は入力操作部４６から
記録内容１１１のインデックスの情報
インデックスの情報としては
タイトル
録画日時
放送チャンネル
メモリ４２には第３図に示すように、記録内容１１１のインデックスの情報が記憶される。
第２Ａ図に示すようにテープ１には登録番号Ｎ１の記録に続いて記録内容１１１，１１２，１１３が記録され、第３図に示すようにメモリ４２にはテープ１の登録番号Ｎ１、記録内容１１１，１１２，１１３のインデックス情報が記憶される。
（１−Ｃ）「同様にして第４Ａ図のように、複数のビデオテープ１，２，３，４、・・・にそれぞれ、登録番号を記録した後、記録内容を記録し、これらの記録内容のインデックスを第３図に示すように、メモリ４２に記憶する。」（公報第４頁右上欄第２０行〜同頁左下欄第４行参照）、
（１−Ｄ）「なお、
記憶内容１１１，１１２，１１３のビデオテープ２０への記録の際に、コントロールヘッド２２により読み取られたテープのカウンタの値を
このカウンタ値をインデックス情報としてメモリ４２に送り、メモリ４２に記憶させてもよい
カウンタ値をインデックス情報として記憶することにより、各記憶内容１１１、１１２，１１３の録画開始位置を知ることができ、テープの再生をスムーズに行うことができる
（１−Ｅ）「ビデオテープの記録内容の確認時には、第１図のオーディオヘッド２８によって、
装填されたビデオテープ２０のオーディオトラックから登録番号が読み出され
登録番号に対応するビデオテープのインデックスをメモリ４２から読出し、ＣＲＴに表示する
見たい記録内容の部分のカウンタ値を表示されたインデックス情報から知り、早送り等によってその部分を直ちに再生することができる。
（１−Ｆ）「ビデオテープ２０をＶＴＲに装填し（２０２）、本装置を動作させると、制御部４０はオーディオヘッド２８によってテープ２０からテープの登録番号を読み出し、メモリ４２を検索して、メモリ４２にこのテープ２０のインデックスの記録があるか否かを判断する（２０４）。第３図に示すようなインデックスの記録がある場合には、このテープ２０についての全てのインデックスをメモリ４２から読み出し、ＣＲＴ４４に表示する（２０６）。」（公報第４頁左下欄第２０行〜同右上欄第８行参照）、
（１−Ｇ）「なお、ビデオテープの先頭部分に記録される登録番号は、前記のようにオーディオトラックに記録するほか、コントロールヘッドによりビデオテープのコントロールトラックの先頭部分に記録してもよい。この場合には、記録された登録番号はコントロールヘッドにより読み出され、波形整形回路３６で波形整形され、制御部４０へ送られる。
登録番号はまた、ビデオテープのビデオトラックの先頭部分に記録し、ビデオ録画再生回路１４によって読み出すようにしてもよい。
「映像信号を記録媒体（テープ２０）に記録あるいは記録媒体から映像信号を再生する記録再生手段（制御部４０等）と、
　複数の記録媒体の媒体番号（登録番号Ｎ１等）と、前記記録媒体に記録された映像信号の記録内容リスト（第４Ａ図）と該映像信号の記録位置情報（カウンタ値）とを対応させて記憶する記憶手段（メモリ４２）と、
　記録媒体が装着されたとき、この装着された記録媒体に記録されたデータに応じて記録媒体の媒体番号（登録番号）を判別する判別手段（制御部４０）と、
　前記媒体番号に対応する記録内容リスト（インデックス）を前記記憶手段から読み出し、表示装置（ＣＲＴ）に表示する表示信号発生手段（制御部４０）と、
　前記表示された記録内容リストから再生部分の記録位置情報（カウンタ値）を知り、その記録位置情報に応じて頭出し再生するように前記記録再生手段を制御することが可能な記録再生装置（ＶＴＲ）。」
の発明（以後「刊行物１の発明」という）が記載されていると認められる。
２．同じく上記拒絶理由通知で引用した特開平２−２７８５８８号公報（以後「刊行物２」という）には、カセット式記録装置に係り、
（２−Ａ）「本発明は、カセットに収納された磁気テープ等の記録媒体にプログラムを記録するカセット式記録装置において、少なくとも記録しようとするプログラムに関連する情報、該プログラムの記録媒体上での記録位置情報及びカセット識別情報を、当該プログラムの記録時にメモリ等の情報記憶手段に記憶することにより、随時この記憶内容を読み出して各情報を確認でき、所望のプログラムを迅速且つ確実に検索することができる。」（公報第２頁右上欄第２〜１０行参照）、
（２−Ｂ）「第１図は、本発明を民生用のカセット式ビデオテープレコーダ（ＶＴＲ）に適用した一実施例・・・カセット式ＶＴＲには、例えばＲＡＭ（ランダムアクセスメモリ）等のメモリ（サーチ情報メモリ）１１が設けられている。・・・この
サーチ情報メモリ１１
サーチ用の情報として、録画しようとするプログラム（テレビジョン放送番組等）に関する情報
プログラムのビデオテープ上での録画位置を示すテープ位置情報
ＴＲと装着されているビデオテープカセットの識別情報
プログラムに関する情報
月、日、曜日、番組開始（録画開始）時刻及び終了時刻、放送局のチャンネル等
（２−Ｃ）「ここで、上記カセット識別部６によるカセット７の識別は、例えば第２図に示すように、カセット７の背面７ａに貼付されるラベル８に予め読み取り用のマーク９を記載しておき、このマーク９をＶＴＲ内の例えば光学的な読取手段により読み取るようにしてなされるものである。」（公報第３頁右下欄第５〜１０行参照）、
（２−Ｄ）「第３図のステップＳ１において、ＶＴＲにテープカセットが装着されたとき、そのカセットの識別情報（例えば第２図のマーク９）を、上記カセット識別部６により読み取って検出する。・・・・ステップＳ３では、上述したリール回転等に基づきテープの現在位置情報を上記テープ位置検出部５において求める。・・・（中略）・・・。すなわち、ステップＳ３からＳ７までは、録画モード中、常に現在のテープ位置を計算し続けておき、録画開始時と録画終了時の各テープ位置情報のみをサーチ情報メモリ１１に記憶する動作を行うものである」（公報第４頁右上欄第１１行〜同左下欄第１４行参照）、
（２−Ｅ）「ステップＳ１０におけるサーチ用の各種情報の表示が行われる上記表示部２０としては・・・ＶＴＲに接続されたテレビジョン受像器のＣＲＴ（陰極線管）を用いることが考えられる。」（公報第４頁右下欄第１１〜１７行参照）、
（２−Ｆ）「第４図は、本発明実施例のＶＴＲに接続されるテレビジョン受像器のＣＲＴの表示面（スクリーン面）２１を示している。この表示面２１には、先ずカセット識別情報（識別番号）２２が最上部の中央部に表示され、その下にテープ状の録画状態を示す帯グラフ２３が表示されている。・・・帯グラフ２３の直下位置には、録画されている番組のテープ始端からの順序を示す数字（番組番号）２５及び頭出し（サーチ）のための矢印２６が配置されている。このような帯グラフ表示部分の下方に、上記録画されている各番組に関する情報が上記番組番号の順に一覧表の形式で表示されている。すなわち、上記番組番号、録画日、曜日、録画開始、終了時刻、及びチャンネルの各項目が、１つの録画番組毎にそれぞれ１行に表示されている。
ここで上記頭出し用の矢印２６は上記第１図のキー入力部１でのキー操作により、例えば番組番号を指定して任意に設定することができ、例えば自動頭出しモードに切換操作することで自動的に矢印２６で指定された番組番号の番組をサーチして番組の頭部分から再生を行うようにすることができる。
（２−Ｇ）「この他、図示はしていないが、
番組のジャンル
上記一覧表に含めて表示させる
録画後に再生して見たことを示すマーク（再生済みマーク）をキー入力によりあるいは自動的に上記一覧表や帯グラフに関連して表示させてもよい。
（２−Ｈ）「
また、メモリ１１に記憶されたサーチ用情報をテレビジョン受像器のＣＲＴスクリーン面等に表示させることにより、ユーザは、例えばどのテープカセットのどの部分に、何時の何チャンネルの番組が何分録画されているかを容易に確認することができる。
（２−Ｉ）「また、
カセットを記録装置に装着したとき自動的にそのカセットを識別して当該カセット内の記録媒体に記録されているプログラムのサーチ情報をＣＲＴ等に表示させるようにしてもよい
の記載があり、刊行物１の発明とは、
ａ．記録媒体が装着されたとき、前記記録媒体に記憶されたデータに応じて前記記録媒体の媒体番号を判別する判別手段が無く、その代わりにカセットに貼付したマークを光学的に読み取って媒体番号を識別し、
ｂ．表示された記録内容リストにおいて再生部分を指定し、「映像信号を記録媒体に記録あるいは記録媒体から映像信号を再生する記録再生手段と、指定された部分の記録位置情報を前記記憶手段から読み出し、その記録位置情報に応じて頭出し再生するように前記記録再生手段を制御する制御手段を備える」
点で異なる、
「映像信号を記録媒体に記録あるいは記録媒体から映像信号を再生する記録再生手段と、
　複数の記録媒体の媒体番号（カセットの識別番号）と、前記記録媒体に記録された映像信号の記録内容リスト（一覧表）と該映像信号の記録位置情報とを対応させて記憶する記憶手段（メモリ１１）と、
　記録媒体が装着されたとき、この装着された記録媒体に貼付された光学的マークから読み取られるデータに応じて記録媒体の媒体番号を判別する判別手段（光学的マーク読み取り装置とＣＰＵシステム）と、
　前記媒体番号に対応する記録内容リストを前記記憶手段から読み出し、表示装置に表示する表示信号発生手段（テレビジョン受像器のＣＲＴ）と、
　前記表示された記録内容リストにおいて再生部分を指定する指定手段（矢印２６とＣＰＵシステム）と、
　前記指定された部分の記録位置情報を前記記憶手段から読み出し、その記録位置情報に応じて頭出し再生するように前記記録再生手段を制御する制御手段（ＣＰＵシステム）と、
を備えていることを特徴とする記録再生装置（ＶＴＲ）。」
が示されている。
３．同様に上記拒絶理由通知で引用した特開平２−　５６７９１号公報（以後「刊行物３」という）には、頭出し信号を磁気テープに書き込み／読み出して、磁気テープに記録した情報の頭出しを行う機能を備えたビデオテープレコーダに係り、
（３−Ａ）「頭出し信号を磁気テープに書き込み／読み出して、磁気テープに記録した情報の頭出しを行う機能を備えたビデオテープレコーダにおいて、テープへの情報記録時にこの情報に関するインデックス情報を入力又は収集する情報獲得手段と、インデックス情報を読み書きする不揮発性メモリと
挿入されたテープカセツト識別するカセット識別手段
インデックス情報を前記頭出し信号に対応したアドレス及び前記カセット識別手段からのカセット識別情報によって区分けして前記不揮発性メモリに書き込む
セット識別手段からのカセット識別情報に基づいて前記不揮発性メモリから対応するインデックス情報を読み出す
インデックス情報を映像信号化してモニタに出力
モニタに表示されたインデックス情報が示す頭出し信号に対応したアドレスを指定するアドレス指定手段と、このアドレス指定手段によって指定されたアドレスに対応する前記頭出し信号を磁気テープ上から検出する頭出し信号検出手段と、この頭出し信号検出手段にて前記頭出し信号が検出されると、この頭出し信号の後に入っている前記磁気テープ上の記録情報を再生して前記モニタに出力する再生手段
（３−Ｂ）「こうして、モニタ１３に表示されるインデックス情報、例えば、記録日付、記録開始／終了時刻、選局番号、タイトル、ＶＡＳＳのアドレス等で、前記インデックス情報に対応する映懐情報を検索する場合、ユーザはキー入力装置３によつて頭出し信号ＶＡＳＳのアドレス情報をマイクロコンピュータ１に指定する。これを受けたマイクロコンピュータ１はテープ駆動回路１０を制御してテープを送る。この際、コントロールヘッド４は頭出し信号を再生し、これを頭出し信号発生、検出回路５に出力する。頭出し信号発生、検出回路５は検出データＳ３をマイクロコンピュータ１に出力する。マイクロコンピュータ１は入力されたデータＳ３が前記ユーザによって指定されたアドレスと一致すれば、ここでＶＴＲを再生モードにする。これによって、前記頭出し信号以降に記録されている映像情報がビデオヘッド１１にて再生されてビデオ回路９に入力され、各種処理を受けた後モニタ１３に写し出される。」（公報第３頁左下欄第１９〜同右上欄第１８行参照）
の記載があり、刊行物１，２に記載された発明と同様な記録媒体管理の可能なＶＴＲに係る発明において、ＣＲＴに表示された、頭出し信号ＶＡＳＳのアドレスを含むインデックス情報に対応する映像情報から、ＶＡＳＳのアドレス情報を指定することによって自動的に目的の映像情報を頭出し再生できる技術が示されている。
III．対比・判断
　請求項１に係る発明を刊行物１の発明とを対比させてみると、両者は、
「映像信号を記録媒体に記録あるいは記録媒体から映像信号を再生する記録再生手段と、
　複数の記録媒体の媒体番号と、前記記録媒体に記録された映像信号の記録内容リストと該映像信号の記録位置情報とを対応させて記憶する記憶手段と、
　記録媒体が装着されたとき、この装着された記録媒体に記録されたデータに応じて記録媒体の媒体番号を判別する判別手段と、
　前記判別手段にて検出した媒体番号に対応する記録内容リストを前記記憶手段から読み出し、表示装置に表示する表示信号発生手段と、
　前記表示された記録内容リストから再生部分の記録位置情報を知り、その記録位置情報に応じて頭出し再生するように前記記録再生手段を制御することを特徴とする記録再生装置。」
である点で一致し、
相違点１：
　本願発明が、表示された記録内容リストにおいて再生部分を指定する指定手段と、前記指定された部分の記録位置情報を前記記憶手段から読み出し、その記録位置情報に応じて頭出し再生するように前記記録再生手段を制御する制御手段を備えているのに対し、
　刊行物１の発明では、記録内容リストから再生部分の記録位置情報を獲得する点でのみ共通し、その具体的な獲得方法が異なる点やリスト上で再生部分をを指定する指定手段や、指定された再生部分を頭出し再生する記録再生手段の制御手段についての何の規定もない点、
相違点２：
　本願発明では、記録媒体から判別手段にて媒体番号が検出できない場合に
自動的に新たな媒体番号を設定し、前記記憶手段に該媒体番号に対応する領域を確保する設定手段を備得ているのに対し、
　刊行物１の発明では、媒体番号が検出できない場合についてはどうするか具体的な規定はなく、（１−Ｂ）の「テープ１に録画する場合、操作者は入力操作部４６からテープ１の登録番号１の指示を入力する。」の記載から、媒体番号は自動的に設定されるのではなく操作者によって指示され、操作部から手動で入力されることが伺われる点、
の２点で相違する。
　しかるに、相違点１について検討してみると、刊行物２、刊行物３に示される如く、本願および刊行物１の発明と同様な、テープカセット等の記録媒体を管理可能な記録再生装置において、該装置内のメモリに記憶された記録内容リストを表示し、その表示されたリストから記録媒体上の記録再生箇所の指定、自動頭出しを行うことは本願出願時にはすでに慣用技術（特に刊行物２の記載（２−Ｆ）には画面上の矢印で指定する）となっており、刊行物１の発明に、このような慣用技術を適用することは、当業者において容易に想到可能であると認められる。
　そして、相違点２についても、特開平２−２１４０８５号公報、特開昭６１−２０２８２号公報、特開平１−２０１８８６号公報、特開平３−２１９４８６号公報等の本願出願時公知の文献に示されるように、本願発明、刊行物１の発明同様の多数の記録媒体の記録内容を管理する記録内容リストの作成にあたり、記録媒体の媒体識別番号とメモリ内に割り当てる記憶エリアとを関連付けて、媒体識別番号を自動的に生成、割当したり、管理することが、すでに周知慣用技術化していたことに鑑みるならば、刊行物１の発明における手動入力による新しい記録媒体への媒体識別番号の設定、割当てから、この方法による媒体識別番号の自動生成、割当てに変更する程度のことは当業者において容易に想到できる。
　従って、これら２つの相違点はいずれも格別のものとは認められない。
.IV．結び
　以上のとおり、本願発明は当審で引用した刊行物１〜３に記載の発明及び
本願出願時の周知慣用技術に基づいて当業者が容易に発明をすることができたものであるから、特許法第２９条第２項の規定により、特許を受けることができない。
　よって、結論のとおり審決する。